【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
バイポーラＣＭＯＳ技術を使用して生産された能動型ピクセルアレイを有する検出器を備え、受信したＸ線を少なくとも一つのアナログ電気出力信号に変換する口内センサと、
ケース中にカプセル化され、少なくとも一つの検出器起動装置を備えた電子モジュールであって、該モジュール中で生成された検出器起動信号を前記センサに伝送し、前記少なくとも一つのアナログ電気出力信号を前記モジュールに伝送するために、ワイヤ連結により前記センサに連結され、前記少なくとも一つのアナログ電気出力信号を少なくとも一つのデジタル出力信号に変換するアナログ／デジタル変換手段を有するモジュールと、
前記少なくとも一つのデジタル出力信号の遠隔の処理と表示をするユニットへの伝送を保障することを目的としたワイヤ連結により前記電子モジュールに連結された該少なくとも一つのデジタル出力信号の前記遠隔の処理と表示をするユニットと
を備えたことを特徴とする歯科用放射線装置。
【請求項２】
少なくとも１本の歯を透過したＸ線を受けることを目的とする口内センサを備えたことを特徴とする歯科用放射線装置であって、該センサは、
Ｘ線・可視放射変換器と、
半導体材料で作られた基板上にバイポーラＣＭＯＳ技術を使用して生産された能動型ピクセルアレイを備えた検出器と、
前記能動型ピクセルアレイを制御する数個の制御信号を生成することのできるシーケンサであって、前記アレイと同じ基板上に一体化されたシーケンサと
を有することを特徴とする装置。
【請求項３】
バイポーラＣＭＯＳ技術を用いて製造された能動型ピクセルアレイを有する口内センサを備えた歯科用放射線装置中の信号処理方法であって、
放射線に曝露された前記アレイの前記ピクセルに保たれているデータ値をサンプリングするステップと、
前記画素のサンプリングされた前記データ値に基づいて少なくとも一つのセンサアナログ出力信号を生成するステップと、
前記少なくとも一つのアナログ出力信号を一つのデジタル出力信号へ変換するステップと、
前記アナログ出力信号、又は前記アナログ出力信号の一つに補正を適用して、前記アレイの種々の暗電流による全てのドリフトの補償を前記デジタル出力信号中で行うステップと
を備えたことを特徴とする方法。
【請求項４】
口内センサを備えたことを特徴とする歯科用放射線装置であって、
前記センサは、バイポーラＣＭＯＳ技術を使用して生産された能動型ピクセルアレイを備え、該アレイにより受信されたＸ線を少なくとも一つのアナログ出力信号に変換する検出器を有し、
前記装置は、
前記少なくとも一つのアナログ出力信号を一つのデジタル出力信号に変換するためのアナログ／デジタル変換器と、
前記アナログ出力信号又は前記アナログ出力信号の一つへの補正を適用し、前記アレイ中の前記暗電流の変動による全てのドリフトを前記デジタル信号中で補償するのに適した信号補正器と
を備えていることを特徴とする装置。
【請求項５】
少なくとも一本の歯を透過したＸ線を受信することを目的とする口内センサを備えたことを特徴とする歯科用放射線装置であって、該センサが、
可視放射変換器へのＸ線と、
バイポーラＣＭＯＳ技術を用いて製造された能動型ピクセルアレイを備え、かくして変換された可視放射を少なくともひとつのアナログ電子信号に変換する検出器と、
前記少なくとも一つのアナログ電子信号に同期したサンプリング信号の生成器であって、前記少なくとも一つのアナログ電気信号のデジタル信号への後の変換を目的とする生成器と
を有することを特徴とする装置。
【請求項６】
少なくとも一本の歯を透過したＸ線を受信する目的の口内センサを備えた歯科用放射線装置における信号処理方法であって、前記センサ中で、
少なくとも一本の歯を透過したＸ線の受信と、
前記受信したＸ線の可視放射への変換と、
このように変換した可視放射の、バイポーラＣＭＯＳ技術を用いて製造した能動画素配列による少なくとも一つのアナログ電気信号への変換と、
前記少なくとも一つのアナログ電気信号に同期し、該少なくとも一つのアナログ同期信号をデジタル信号に後に変換するためのサンプリング信号の生成をすることを特徴とする方法。
【請求項７】
バイポーラＣＭＯＳ技術を用いて製造された能動型ピクセルアレイを有する検出器を有する口内センサを備えた歯科用放射線装置中の信号処理方法であって、前記ピクセルは行と列とに配列され、
前記配列の各行の選択と、
選択された各行に対する、放射線に曝露された各画素により保持されるデータ値のサンプリングと、
前記配列の画素に対する前記サンプリングされたデータ値からの読み取り信号の生成と、
前記検出器の入力への入力基準信号（ブラックイン）の適用と、
前記配列の読み取り信号と、前記検出器の固有電子ドリフトを表し、前記検出器の入力に印加された前記入力基準信号に基づいて前記検出器の出力で得られる出力基準信号（ブッラクレフ）とに基づく出力信号の生成と、を行うことを特徴とする方法。
【請求項８】
バイポーラＣＭＯＳ技術を用いて製造される能動型ピクセルアレイを有する検出器を有する口内センサを備えた歯科用放射線装置であって、前記ピクセルは行と列とに配列され、
前記アレイの各行を選択するための手段と、
前記選択された各行に対して、放射線に曝露された各ピクセルにより保持されるデータ値をサンプリングするための手段と、
前記アレイのピクセルに対して前記サンプリングされたデータ値から読み取り信号を生成するための手段と、
前記検出器の入力に入力基準信号を印加するための手段と、
前記アレイの読み取り信号と、前記検出器の固有の電子ドリフトを表し、該検出器の入力に印加された前記入力基準信号に基づいて該検出器の出力で得られる出力基準信号（ブラックレフ）とから出力信号を生成するための手段と
を備えたことを特徴とする装置。
【請求項９】
バイポーラＣＭＯＳ技術を用いて製造される能動型ピクセルアレイを有する口内センサを備えた歯科用放射線装置における信号処理方法であって、前記ピクセルは行と列とに配列され、放射線に曝露された前記アレイのピクセルにより保持されるデータ値から生成されたアナログ出力信号を前記センサが送出し、少なくとも一つのアレイ列のピクセルが光学的に不活性であり、この方法は、
アナログ出力信号のデジタル出力信号への変換と、
一アレイの行の光学的に不活性な各ピクセルに由来する一以上のデータ値に関するデジタル出力信号中での読み取りと、
２行の各行に関連するピクセルは数が等しく、かつ同じ列に配置されている、少なくとも一つの隣接した行の光学的に不活性な各ピクセルに由来する一以上のデータ値の前記デジタル出力信号中での読み取りと、
一行の不活性なピクセルに対してそれぞれ読み取ったデータ値と、前記少なくとも一つの隣接する行の不活性な画素に対してそれぞれ読み取られたデータ値との比較と、
前記比較に用いた行の一つの全てのピクセルのデータ値の出力信号における何らかの変更についての、前記比較の結果に応じた決定の遂行と、を行うことを特徴とする方法。
【請求項１０】
バイポーラＣＭＯＳ技術を用いて製造される能動型ピクセルアレイを有する口内センサを備えた歯科用放射線装置であって、前記ピクセルは行と列とに配列され、放射線に曝露された前記アレイのピクセルにより保持されるデータ値から生成されたアナログ出力信号を前記センサが送出し、少なくとも一つのアレイの列のピクセルが光学的に不活性であることにより特徴付けられ、本装置は
前記アナログ出力信号をデジタル出力信号に変換するための手段と、
アレイの１の行の光学的に不活性な各ピクセルに由来する一以上のデータ値をデジタル出力信号中で読み取るための手段と、
２行の各行に関連するピクセルは数が等しく、かつ同じ列に配置されている、少なくとも一つの隣接した行の光学的に不活性な各ピクセルに由来する一以上のデータ値を前記デジタル出力信号中で読み取るための手段と、
一行の不活性なピクセルに対してそれぞれ読み取ったデータ値と、前記少なくとも一つの隣接する行の前記不活性なピクセルに対してそれぞれ読み取った前記データ値とを比較する比較器と、
前記比較に用いた行の一つの全てのピクセルのデータ値の出力信号における何らかの変更についての決定をすることのできる決定遂行手段と
を有することを特徴とする装置。